【手続補正書】
【提出日】平成29年2月17日(2017.2.17)
【手続補正１】
【補正対象書類名】特許請求の範囲
【補正対象項目名】全文
【補正方法】変更
【補正の内容】
【特許請求の範囲】
【請求項１】
電子眼鏡であって、
電子眼鏡は、２本のつると該２本のつるを相互接続している２個のレンズ枠部とを有しているフレームを備えており、２個のレンズ枠部のうちの一方のみに表示装置が設けられており、表示装置は使用者の通常の視線から外れた位置で配備されており、表示装置はその上に画像を表示してフレームを装着している使用者に見せるよう構成されており、
フレームは複数の構成部から成り、複数の構成部のうちの１つはカメラであり、カメラは表示装置に画像を送信するよう構成されており、
電子眼鏡はマイクロフォンを更に備えており、マイクロフォンはフレームに設けられており音声を捕獲するよう構成されており、
前記２本のつるの一方または両方が前記複数の構成部を収納しており、前記２本のつるの一方または両方は、寸法が異なっている３つまたはそれ以上の部位を含んでおり、
該３つまたはそれ以上の寸法が異なっている部位が、前記２本のつるの一方または両方のつるの自由端の終端部、前記レンズ枠部に接続しているつるの前部、および、つるの終端部とつるの前部の間に位置しているつるの中間部を含んでおり、前記つるの中間部が前記２本のつるの一方または両方のつるにおける最も小さい体積を有しており、
電子眼鏡が、前記２本のつるの一方または両方のつるに位置している電池を更に備えており、前記電池が、前記２本のつるの一方または両方のつるの前記最も小さい体積を有している前記つるの中間部以外の、前記２本のつるの一方または両方のつるの前記３つまたはそれ以上のつるの部位の何れか内に設置されていることを特徴とする、電子眼鏡。
【請求項２】
前記表示装置が、前記レンズ枠部の上方部分に隣接して配備されている、請求項１に記載の電子眼鏡。
【請求項３】
前記マイクロフォンは音声指令認識マイクロフォンであり、音声指令認識マイクロフォンは音声指令により前記複数の構成部のうち少なくとも１つの構成部を起動させることを特徴とする、請求項１に記載の電子眼鏡。
【請求項４】
前記電子眼鏡は無線装置を更に備えており、無線装置は前記フレームに設けられており遠隔電波源と連絡する、請求項１に記載の電子眼鏡。
【請求項５】
電子眼鏡はトランシーバ装置を更に備えており、トランシーバ装置は前記フレーム内に設けられており、電子眼鏡は前記フレームと電子接続する計算装置を更に備えている、請求項１に記載の電子眼鏡。
【請求項６】
前記電子接続の一例として無線接続が挙げられることを特徴とする、請求項５に記載の電子眼鏡。
【請求項７】
前記計算装置の一例として携帯電話機が挙げられることを特徴とする、請求項５に記載の電子眼鏡。
【請求項８】
使用者の位置を同定する構成の地球規模測位システムを更に備えている、請求項１に記載の電子眼鏡。
【請求項９】
前記フレームは眼鏡フレームであることを特徴とする、請求項１に記載の電子眼鏡。
【請求項１０】
前記複数の構成部のうちの１つの構成部は無線受信装置であり、無線受信装置は遠隔発信源から少なくとも１つのメッセージを受信する構成であることを特徴とする、請求項１に記載の電子眼鏡。
【請求項１１】
前記表示装置は前記無線受信装置から少なくとも１つのメッセージを受信することを特徴とする、請求項１０に記載の電子眼鏡。
【請求項１２】
前記フレームと無線接続する遠隔携帯電話装置を更に備えている、請求項１に記載の電子眼鏡。
【請求項１３】
前記表示装置の一例として折り畳み自在式の表示装置が挙げられ、前記無線受信装置からメッセージを受信する際には広げて使用することを特徴とする、請求項１０に記載の電子眼鏡。
【請求項１４】
メモリを更に備えている、請求項１に記載の電子眼鏡。
【請求項１５】
前記音声指令認識マイクロフォンは特定言語認識装置であり、特定言語認識装置は使用者の特定言語指令によって前記複数の構成部のうちの少なくとも１つの構成部を起動させることを特徴とする、請求項３に記載の電子眼鏡。
【請求項１６】
前記電子眼鏡は受信器を更に備えており、受信器は前記フレーム内に設けられており遠隔信号源から信号を受信し、受信された信号には少なくとも１つの画像が含まれており、前記電子眼鏡は送信器を更に備えており、送信器は前記フレーム内に設けられており遠隔装置に信号を送信し、送信された信号には少なくとも１つの画像が含まれている、請求項１に記載の電子眼鏡。
【請求項１７】
前記電子眼鏡はセンサーを更に備えており、センサーは前記フレームに設けられておりセンシング動作を行う、請求項１に記載の電子眼鏡。
【請求項１８】
電子眼鏡システムであって、
電子眼鏡システムは、フレームと、複数の構成部を含む取外し自在な電子パッケージ部とを含むアイウエア組立体と備え、
前記取外し自在な電子パッケージ部は、ハウジングを含み、
前記フレームは、レンズを含み、該レンズは、該レンズに取り付けられた構成要素を有し、前記取外し自在な電子パッケージ部は、前記構成要素に取外し自在に、接続されており、
前記ハウジングは、無線送受信機を含み、前記無線送受信機は、前記ハウジング内に含まれており、前記無線送受信機は遠隔発信源から少なくとも１つのメッセージを受信する構成であり、前記少なくとも一つのメッセージを画像及び音声の内の少なくとも一方であり、
前記フレームは、少なくとも一つのレンズ枠部を含み、
前記ハウジングが、一つのみの表示装置を含み、該一つのみの表示装置が、前記ハウジング内に含まれており、前記無線送受信機によって受信された前記少なくとも一つのメッセージを表示する構成であり、
前記ハウジングが、地球規模測位システムを含み、該地球規模測位システムが、前記ハウジング内に含まれており、使用者の位置を識別する位置を送信する構成であり、
前記ハウジングが、カメラを含み、該カメラが前記ハウジング内に含まれており、静止画及びビデオ画像の何れか一方を撮影し、
前記無線送受信機が前記ハウジング内に含まれており、データを遠隔地に送信する構成であり、
前記ハウジングが、プロセッサを含み、該プロセッサは前記ハウジング内に含まれており、前記取外し自在な電子パッケージ内の前記複数の構成部の少なくとも一つを制御し、
前記ハウジングが、メモリを含み、前記メモリは、前記ハウジング内に含まれており、データを記憶するように構成されており、
電子眼鏡システムは、前記取外し自在の電子パッケージとの無線接続を有する遠隔携帯電話装置を、更に備える。
【請求項１９】
前記フレームの一例としてゴーグルが挙げられることを特徴とする、請求項１８に記載の電子眼鏡。
【請求項２０】
前記フレームは眼鏡フレームであることを特徴とする、請求項１８に記載の電子眼鏡システム。
【請求項２１】
前記電子眼鏡は圧力センサーを更に備えており、該圧力センサーは前記フレームに設けられている、請求項１８に記載の電子眼鏡。
【請求項２２】
電子眼鏡システムであって、
電子眼鏡システムは、フレームと、複数の構成部を含む取外し自在な電子パッケージ部とを含むアイウエア組立体とを、備え、
前記取外し自在な電子パッケージ部は、ハウジングを含み、
前記取外し自在な電子パッケージ部は、前記フレームに、取外し自在に接続されており、
前記ハウジングは、無線送受信機を含み、前記無線送受信機は、前記ハウジング内に含まれており、前記無線送受信機は遠隔発信源から少なくとも１つのメッセージを受信する構成であり、前記少なくとも一つのメッセージを画像及び音声の内の少なくとも一方であり、
前記フレームは、少なくとも一つのレンズ枠部を含み、
前記ハウジングが、一つのみの表示装置を含み、該一つのみの表示装置が、前記ハウジング内に含まれており、前記無線送受信機によって受信された前記少なくとも一つのメッセージを表示する構成であり、
前記ハウジングが、地球規模測位システムを含み、該地球規模測位システムが、前記ハウジング内に含まれており、使用者の位置を識別する位置を送信する構成であり、
前記無線送受信機が前記ハウジング内に含まれており、データを遠隔地に送信する構成であり、
前記ハウジングが、プロセッサを含み、該プロセッサは前記ハウジング内に含まれており、前記取外し自在な電子パッケージ内の前記複数の構成部の少なくとも一つを制御し、
前記ハウジングが、メモリを含み、前記メモリは、前記ハウジング内に含まれており、データを記憶する構成であり、
電子眼鏡システムは、前記取外し自在の電子パッケージとの無線接続を有する遠隔携帯電話装置を、更に備える。
【請求項２３】
遠隔制御装置を更に含み、該遠隔制御装置は、前記取外し自在の電子パッケージに含まれる前記複数の構成部の少なくとも一つを制御する、請求項２２記載の電子眼鏡。
【請求項２４】
フレームに設けられており、少なくとも１つの画像を取得するカメラを更に備える、請求項２２記載の電子眼鏡。
【請求項２５】
前記２本のつるの一方または両方が前記複数の構成部を収納しているとともに３つまたはそれ以上の別個の部位から成り、３つまたはそれ以上の別個の部位はつるの自由端の終端部、前記レンズ枠部に隣接して終端している前部、および、終端部と前部の間に位置している中間部を含んでおり、つるの別個の部位のうち中間部の体積が最も小さいことを特徴とする、請求項２２に記載の電子眼鏡システム。
【請求項２６】
前記フレームの一例としてゴーグルが挙げられることを特徴とする、請求項２２に記載の電子眼鏡。
【請求項２７】
前記フレームは眼鏡フレームであることを特徴とする、請求項２２に記載の電子眼鏡システム。